【手続補正書】
【提出日】平成16年6月25日(2004.6.25)
【手続補正１】
【補正対象書類名】明細書
【補正対象項目名】特許請求の範囲
【補正方法】変更
【補正の内容】
【特許請求の範囲】
【請求項１】
一対の基板と、この一対の基板に挟持される電気光学素子と、前記電気光学素子を挟持した前記一対の基板を収納する保持枠とを備え、前記保持枠の外側表面及び前記一対の基板の少なくともいずれか一方の外側表面に帯電防止層が設けられたことを特徴とする電気光学装置。
【請求項２】
請求項１に記載の電気光学装置において、前記帯電防止層は無機質材料から形成されていることを特徴とする電気光学装置。
【請求項３】
請求項２に記載の電気光学装置において、前記帯電防止層はシリカと導電性微粒子とを備えて形成されることを特徴とする電気光学装置。
【請求項４】
請求項３に記載の電気光学装置において、前記帯電防止層は、抵抗値が１０６〜１０９Ω／□であることを特徴とする電気光学装置。
【請求項５】
請求項１から４のいずれかに記載の電気光学装置を備えたことを特徴とするプロジェクタ。
【請求項６】
請求項５に記載のプロジェクタにおいて、光源と、この光源から射出された光束を複数色に分離する色分離光学系と、この色分離光学系で分離された各色光をそれぞれ変調する複数の前記電気光学装置と、これらの電気光学装置によって変調された各色光を合成するプリズムと、前記プリズムから出射された光を投射する投写レンズとを備えていることを特徴とするプロジェクタ。
【請求項７】
請求項６に記載のプロジェクタにおいて、合成樹脂製部品を備え、この合成樹脂製部品に帯電防止処理が施されていることを特徴とするプロジェクタ。
【請求項８】
請求項５に記載のプロジェクタにおいて、光源と、この光源から射出された光から光学像を形成する電気光学装置と、この電気光学装置から射出された光を投写する投写レンズと、前記電気光学装置の前記光源側に配置されるフィールドレンズと、を備えたプロジェクタであって、
前記フィールドレンズの少なくとも一方の表面に、帯電防止層が設けられ、または、帯電防止処理が施されていることを特徴とするプロジェクタ。
【請求項９】
請求項５に記載のプロジェクタにおいて、光源と、この光源から射出された光から光学像を形成する前記電気光学装置と、この電気光学装置から射出された光を投写する投写レンズと、前記電気光学装置の前記光源側に配置される入射側偏光板と、を備えたプロジェクタであって、
前記入射側偏光板の少なくとも一方の表面に、帯電防止層が設けられ、または、帯電防止処理が施されていることを特徴とするプロジェクタ。
【請求項１０】
請求項５に記載のプロジェクタにおいて、光源と、この光源から射出された光から光学像を形成する前記電気光学装置と、この電気光学装置から射出された光を投写する投写レンズと、前記電気光学装置の前記光源側に配置される入射側偏光板と、を備えたプロジェクタであって、
前記入射側偏光板は光透過性基板に貼り付けられており、前記光透過性基板の少なくとも一方の表面に、帯電防止層が設けられ、または、帯電防止処理が施されていることを特徴とするプロジェクタ。
【請求項１１】
請求項５に記載のプロジェクタにおいて、光源と、この光源から射出された光から光学像を形成する前記電気光学装置と、この電気光学装置から射出された光を投写する投写レンズと、前記電気光学装置の前記投写レンズ側に配置される出射側偏光板と、を備えたプロジェクタであって、
前記出射側偏光板の少なくとも一方の表面に、帯電防止層が設けられ、または、帯電防止処理が施されていることを特徴とするプロジェクタ。
【請求項１２】
請求項５に記載のプロジェクタにおいて、光源と、この光源から射出された光から光学像を形成する前記電気光学装置と、この電気光学装置から射出された光を投写する投写レンズと、前記電気光学装置の前記投写レンズ側に配置される出射側偏光板と、を備えたプロジェクタであって、
前記出射側偏光板は光透過性基板に貼り付けられており、前記光透過性基板の少なくとも一方の表面に、帯電防止層が設けられ、または、帯電防止処理が施されていることを特徴とするプロジェクタ。
【請求項１３】
請求項５に記載のプロジェクタにおいて、光源と、この光源から射出された光から光学像を形成する前記電気光学装置と、この電気光学装置から射出された光を投写する投写レンズと、前記電気光学装置の前記光源側および前記投写レンズ側の少なくとも一方に配置される位相差板と、を備えたプロジェクタであって、
前記位相差板の少なくとも一方の表面に、帯電防止層が設けられ、または、帯電防止処理が施されていることを特徴とするプロジェクタ。
【請求項１４】
請求項５に記載のプロジェクタにおいて、光源と、この光源から射出された光から光学像を形成する前記電気光学装置と、この電気光学装置から射出された光を投写する投写レンズと、前記電気光学装置の前記光源側および前記投写レンズ側の少なくとも一方に配置される位相差板と、を備えたプロジェクタであって、
前記位相差板は光透過性基板に貼り付けられており、前記光透過性基板の少なくとも一方の表面に、帯電防止層が設けられ、または、帯電防止処理が施されていることを特徴とするプロジェクタ。
【請求項１５】
請求項５に記載のプロジェクタにおいて、光源と、この光源から射出された光から光学像を形成する前記電気光学装置と、この電気光学装置から射出された光を投写する投写レンズと、前記電気光学装置の前記光源側および前記投写レンズ側の少なくとも一方に配置される視角補償フィルムと、を備えたプロジェクタであって、
前記視角補償フィルムの少なくとも一方の表面に、帯電防止層が設けられ、または、帯電防止処理が施されていることを特徴とするプロジェクタ。
【請求項１６】
請求項５に記載のプロジェクタにおいて、光源と、この光源から射出された光から光学像を形成する前記電気光学装置と、この電気光学装置から射出された光を投写する投写レンズと、前記電気光学装置の前記光源側および前記投写レンズ側の少なくとも一方に配置される視角補償フィルムと、を備えたプロジェクタであって、
前記視角補償フィルムは光透過性基板に貼り付けられており、前記光透過性基板の少なくとも一方の表面に、帯電防止層が設けられ、または、帯電防止処理が施されていることを特徴とするプロジェクタ。
【請求項１７】
請求項５に記載のプロジェクタにおいて、複数の色光をそれぞれ変調する複数の前記電気光学装置と、これらの電気光学装置によって変調された各色光を合成するプリズムと、このプリズムから出射された光を投射する投写レンズと、を備えたプロジェクタであって、
前記プリズムの光入射端面に、帯電防止層が設けられ、または、帯電防止処理が施されていることを特徴とするプロジェクタ。
【請求項１８】
請求項１に記載の電気光学装置において、前記保持枠は合成樹脂製であることを特徴とする電気光学装置。
【手続補正２】
【補正対象書類名】明細書
【補正対象項目名】０００９
【補正方法】変更
【補正の内容】
【０００９】
【課題を解決するための手段】
前記目的を達成するために、本発明に係る電気光学装置は、一対の基板と、この一対の基板に挟持される電気光学素子と、前記電気光学素子を挟持した前記一対の基板を収納する保持枠とを備え、前記保持枠の外側表面及び前記一対の基板の少なくともいずれか一方の外側表面に帯電防止層が設けられたことを特徴とする。
【手続補正３】
【補正対象書類名】明細書
【補正対象項目名】００１０
【補正方法】変更
【補正の内容】
【００１０】
このような本発明によれば、保持枠の外側表面及び基板の表面に帯電防止層が形成されているので、保持枠の外側表面及び基板表面に静電気が生じても、この静電気が帯電防止層を通じて外部に逃げることになる。したがって、電気光学装置の保持枠及び基板への帯電を低減することができ、基板表面へのゴミ・ケバ等の付着を防止することができる。そのため、製造時やユーザー使用時におけるゴミ・ケバ等の付着に伴う画像の劣化を防止することができる。
【手続補正４】
【補正対象書類名】明細書
【補正対象項目名】００１９
【補正方法】変更
【補正の内容】
【００１９】
本発明のプロジェクタは、以上のような構成の電気光学装置を備えていることを特徴とする。
【手続補正５】
【補正対象書類名】明細書
【補正対象項目名】００２０
【補正方法】変更
【補正の内容】
【００２０】
また、本発明のプロジェクタは、光源と、前記光源から射出された光束を複数色に分離する色分離光学系と、この色分離光学系で分離された各色光をそれぞれ変調する複数の電気光学装置と、これらの電気光学装置によって変調された各色光を合成するプリズムと、前記プリズムから出射された光を投写する投写レンズと、を備えたプロジェクタであって、前記電気光学装置として、以上のような構成の電気光学装置を備えていることが好ましい。
【手続補正６】
【補正対象書類名】明細書
【補正対象項目名】００２１
【補正方法】変更
【補正の内容】
【００２１】
本発明のプロジェクタによれば、保持枠の外側表面及び基板の表面に帯電防止層が形成されているので、保持枠の外側表面及び基板表面に静電気が生じても、この静電気が帯電防止層を通じて外部に逃げることになる。したがって、電気光学装置の保持枠及び基板表面への帯電を低減することができ、ゴミ・ケバの付着を未然に防止することができる。そのため、製造時やユーザー使用時におけるゴミ・ケバ等の付着に伴う画像の劣化を防止することができる。
【手続補正７】
【補正対象書類名】明細書
【補正対象項目名】００２７
【補正方法】変更
【補正の内容】
【００２７】
前記保持枠は合成樹脂製であることが好ましい。